(57)【要約】【課題】複数のアンテナを用いてダイバーシティ受信を行う受信装置において、設置時の作業者の負担を軽減しつつ、十分なダイバーシティ効果が得られるようにする。【解決手段】受信装置は、受信信号毎に、該受信信号の品質に関する測定値を測定する測定部と、第１の位置に配置された第１のアンテナを用いて受信する第１の受信信号と、第２の位置に配置された第２のアンテナを用いて受信する第２の受信信号とを用いてダイバーシティ合成を行う第１の合成部と、第１のアンテナに対して測定値を変化させる所定の操作が行われているときに測定される測定値と、所定の操作が行われていないときに測定される測定値とに基づいて、複数の受信信号の中から第１の受信信号を特定する特定部と、特定部によって特定された第１の受信信号と、第１の受信信号を入力する第１の合成部とを対応付けて管理する管理部と、を有する。【選択図】図３
2018067767.tif 000002
【特許請求の範囲】
【請求項１】
複数のアンテナを用いてダイバーシティ受信を行う受信装置であって、
前記複数のアンテナを用いて受信する受信信号毎に、該受信信号の品質に関する測定値を測定する測定部と、
前記複数のアンテナのうち、第１の位置に配置された第１のアンテナを用いて受信する第１の受信信号と、第２の位置に配置された第２のアンテナを用いて受信する第２の受信信号とを用いてダイバーシティ合成を行う第１の合成部と、
前記第１のアンテナに対して前記測定値を変化させる所定の操作が行われているときに測定される前記測定値と、前記所定の操作が行われていないときに測定される前記測定値とに基づいて、前記複数のアンテナを用いて受信する複数の受信信号の中から前記第１の受信信号を特定する特定部と、
前記特定部によって特定された前記第１の受信信号と、前記第１の受信信号を入力する前記第１の合成部とを対応付けて管理する管理部と、
を有する受信装置。
【請求項２】
前記複数のアンテナのうち、第３の位置に配置された第３のアンテナを用いて受信する第３の受信信号と、第４の位置に配置された第４のアンテナを用いて受信する第４の受信信号とを用いてダイバーシティ合成を行う第２の合成部を有し、
前記第１の位置と前記第２の位置との間の距離は、
前記第１の位置と前記第３の位置との間の距離より長く、前記第１の位置と前記第４の位置との間の距離より短いことを特徴とする請求項１に記載の受信装置。
【請求項３】
前記第１の位置に配置された前記第１のアンテナに対して前記所定の操作を行うことを指示する表示画面を表示部に表示させる表示制御部を有する請求項１又は２に記載の受信装置。
【請求項４】
前記所定の操作は、
手又は所定の物体を前記第１のアンテナに近接させる操作であることを特徴とする請求項１乃至３のいずれか一項に記載の受信装置。
【請求項５】
前記特定部は、
前記表示制御部が前記表示画面を表示させる前に測定される前記測定値と、前記表示制御部が前記表示画面を表示させた後に測定される前記測定値との間の変化量を比較し、
前記複数の受信信号のうち、前記変化量が他の受信信号よりも大きい一の受信信号を前記第１の受信信号として特定することを特徴とする請求項３に記載の受信装置。
【請求項６】
前記受信信号の品質に関する測定値は、前記受信信号のＣ／Ｎ値、又は受信レベルであることを特徴とする請求項１乃至５のいずれか一項に記載の受信装置。
【請求項７】
前記特定部は、
前記第２のアンテナに対して前記測定値を変化させる所定の操作が行われているときに測定される前記測定値と、前記第２のアンテナに対して前記所定の操作が行われていないときに測定される前記測定値とに基づいて、前記複数の受信信号の中から前記第２の受信信号を特定し、
前記第３のアンテナに対して前記測定値を変化させる所定の操作が行われているときに測定される前記測定値と、前記第３のアンテナに対して前記所定の操作が行われていないときに測定される前記測定値とに基づいて、前記複数の受信信号の中から前記第３の受信信号を特定する請求項２に記載の受信装置。
【請求項８】
前記管理部が管理する対応関係に基づいて、前記第１の受信信号及び前記第２の受信信号を前記第１の合成部の入力ノードに入力し、前記第３の受信信号及び前記第４の受信信号を前記第２の合成部の入力ノードに入力する切替部を有する請求項２又は７に記載の受信装置。
【請求項９】
前記受信装置は、
車載用の地上デジタル放送受信装置であることを特徴とする請求項１乃至８のいずれか一項に記載の受信装置。
【請求項１０】
複数のアンテナのうち、第１の位置に配置された第１のアンテナで受信する第１の受信信号と、第２の位置に配置された第２のアンテナで受信する第２の受信信号とを用いてダイバーシティ合成を行う合成部を有する受信装置における受信制御方法であって、
前記受信装置が、
前記複数のアンテナで受信する複数の受信信号の品質に関する測定値を測定する第１の測定ステップと、
前記第１のアンテナに対して前記測定値を変化させる所定の操作が行われたときに、前記複数の受信信号の前記測定値を測定する第２の測定ステップと、
前記第１の測定ステップで測定された前記測定値と、前記第２の測定ステップで測定された前記測定値とに基づいて、前記複数の受信信号の中から前記第１の受信信号を特定する特定ステップと、
前記特定ステップで特定された前記第１の受信信号と、前記第１の受信信号を入力する前記合成部とを対応付けて管理する管理ステップと、
を含む受信制御方法。
【発明の詳細な説明】
【技術分野】
【０００１】
本発明は、受信装置、及び受信制御方法に関する。
【背景技術】
【０００２】
複数のアンテナを用いてダイバーシティ受信を行う車載用のダイバーシティ受信装置が普及している。
【０００３】
このようなダイバーシティ受信装置において、実際に放送信号を受信しながら復調信号のＣ／Ｎ等の実測データを取得・蓄積し、放送を視聴する際に、蓄積した実測データに基づいて適切なアンテナの組合せを選択する技術が知られている（例えば特許文献１参照）。
【先行技術文献】
【特許文献】
【０００４】
【特許文献１】特開２００９−１６４７０８号公報
【発明の概要】
【発明が解決しようとする課題】
【０００５】
４つのアンテナを用いて４ダイバーシティ受信を行う受信装置では、例えば、２つのアンテナを用いて放送を視聴しながら、他の２つのアンテナを用いて電子番組表の取得等を行う２＋２ダイバーシティ受信を行うことが可能である。
【０００６】
このような、２＋２ダイバーシティ受信を行う場合、例えば隣接する相関性の高いアンテナを用いてダイバーシティ受信を行うと、十分なダイバーシティ効果が得られず、１つのアンテナで受信を行った場合の特性に近くなってしまうという問題がある。
【０００７】
このような問題に対して、例えば、受信装置を設置する際に、２＋２ダイバーシティ受信で用いるアンテナ同士が隣接しないように、作業者が、アンテナコードの接続先を管理しながら設置作業を行うことが考えられる。このような作業を行うことにより、例えば、特許文献１に開示された技術のように、絶えずアンテナの組合せを制御しなくても良好なダイバーシティ効果を得ることができるようになる。
【０００８】
しかし、このように作業者が接続先を管理しながら設置作業を行う方法は、作業者の負担が大きく、また、作業者が接続を間違えた場合には、十分なダイバーシティ効果が得られないという問題がある。
【０００９】
本発明の実施の形態は、上記問題点に鑑みてなされたものであって、複数のアンテナを用いてダイバーシティ受信を行う受信装置において、設置時の作業者の負担を軽減しつつ、十分なダイバーシティ効果が得られるようにすることを目的とする。
【課題を解決するための手段】
【００１０】
本発明の一実施態様による受信装置は、複数のアンテナを用いてダイバーシティ受信を行う受信装置であって、前記複数のアンテナを用いて受信する受信信号毎に、該受信信号の品質に関する測定値を測定する測定部と、前記複数のアンテナのうち、第１の位置に配置された第１のアンテナを用いて受信する第１の受信信号と、第２の位置に配置された第２のアンテナを用いて受信する第２の受信信号とを用いてダイバーシティ合成を行う第１の合成部と、前記第１のアンテナに対して前記測定値を変化させる所定の操作が行われているときに測定される前記測定値と、前記所定の操作が行われていないときに測定される前記測定値とに基づいて、前記複数のアンテナを用いて受信する複数の受信信号の中から前記第１の受信信号を特定する特定部と、前記特定部によって特定された前記第１の受信信号と、前記第１の受信信号を入力する前記第１の合成部とを対応付けて管理する管理部と、を有する。
【発明の効果】
【００１１】
本発明の実施形態によれば、複数のアンテナを用いてダイバーシティ受信を行う受信装置において、設置時の作業者の負担を軽減しつつ、十分なダイバーシティ効果が得られるようにすることができる。
【図面の簡単な説明】
【００１２】
【図１】一実施形態に係るデジタル放送受信装置の構成の例を示す図（１）である。
【図２】一実施形態に係るアンテナの配置の例を示す図である。
【図３】一実施形態に係るデジタル放送受信装置の構成の例を示す図（２）である。
【図４】一実施形態に係る切替部の構成の一例を示す図である。
【図５】一実施形態に係る切替部の構成の別の一例を示す図である。
【図６】一実施形態に係るデジタル放送受信装置の処理の例を示すフローチャートである。
【図７】一実施形態に係る表示画面の例と、Ｃ／Ｎ値の変化の例を示す図である。
【図８】一実施形態に係るアンテナの特定処理の例を示すフローチャートである。
【図９】一実施形態に係る切替部の設定処理の例を示すフローチャートである。
【図１０】デジタル放送受信装置の構成例を示す図である。
【図１１】アンテナ間の相関とダイバーシティ効果との関係について説明するための図である。
【図１２】アンテナ間のＣ／Ｎ値に差がある状況について説明するための図である。
【発明を実施するための形態】
【００１３】
以下に、本発明の実施の形態について、添付の図面を参照して説明する。
【００１４】
＜２＋２ダイバーシティ受信＞
本実施形態に係るデジタル放送受信装置の構成について説明する前に、本実施形態に関連するデジタル放送受信装置における２＋２ダイバーシティ受信の概要について説明する。
【００１５】
図１０は、デジタル放送受信装置の構成例を示す図である。デジタル放送受信装置１０は、自動車等の車両に搭載される車載用の地上デジタル放送の受信装置であり、例えば、フロントガラス３０等に取り付けられた複数のアンテナ２０−１〜２０−４を用いて、２＋２のダイバーシティ受信を行う。
【００１６】
図１０において、デジタル放送受信装置１０は、入力端子１１−１〜１１−４、チューナ部１２−１〜１２−４、ＯＦＤＭ（Orthogonal Frequency Division Multiplexing）復調部１３−１〜１３−２、及びダイバー合成部１４−１、１４−２等を有する。
【００１７】
チューナ部１２−１〜１２−４の各々は、指定された受信周波数の受信信号（ＲＦ信号）を、アンテナを介して受信する。ＯＦＤＭ復調部１３−１〜１３−４の各々は、チューナ部から出力される受信信号（ＩＦ信号）に対してＯＦＤＭ復調処理を行う。ダイバー合成部１４−１、１４−２の各々は、ＯＦＤＭ復調部から出力される受信信号（復調信号）の位相を調整した後に合成するダイバーシティ合成（例えば最大比合成）を行う。
【００１８】
例えば、チューナ部１２−１は、入力端子１１−１に接続されたアンテナ２０−１を用いて受信信号を受信する。また、ＯＦＤＭ復調部１３−１は、チューナ部１２−１から出力される受信信号を復調し、ダイバー合成部１４−１に出力する。
【００１９】
また、チューナ部１２−２は、入力端子１１−２に接続されたアンテナ２０−３を用いて受信信号を受信する。また、ＯＦＤＭ復調部１３−２は、チューナ部１２−２から出力される受信信号を復調し、ダイバー合成部１４−１に出力する。
【００２０】
ダイバー合成部１４−１は、ＯＦＤＭ復調部１３−１から出力される受信信号と、ＯＦＤＭ復調部１３−２から出力される受信信号とをダイバーシティ合成する。ダイバー合成部１４−１によってダイバーシティ合成された受信信号は、例えば、放送の視聴用等に用いられる。
【００２１】
同様に、チューナ部１２−３は、入力端子１１−３に接続されたアンテナ２０−２を用いて受信信号を受信する。また、ＯＦＤＭ復調部１３−３は、チューナ部１２−３から出力される受信信号を復調し、ダイバー合成部１４−２に出力する。
【００２２】
また、チューナ部１２−４は、入力端子１１−４に接続されたアンテナ２０−４を用いて受信信号を受信する。また、ＯＦＤＭ復調部１３−４は、チューナ部１２−４から出力される受信信号を復調し、ダイバー合成部１４−２に出力する。
【００２３】
ダイバー合成部１４−２は、ＯＦＤＭ復調部１３−３から出力される受信信号と、ＯＦＤＭ復調部１３−４から出力される受信信号とをダイバーシティ合成する。ダイバー合成部１４−２によってダイバーシティ合成された受信信号は、例えば、電子番組表の取得や、視聴可能な他の放送局のサーチ等に用いられる。
【００２４】
このように、２＋２ダイバーシティ受信では、２つのアンテナで受信した受信信号をダイバーシティ合成して１つのコンテンツを受信し、別の２つのアンテナで受信した受信信号をダイバーシティ合成して別のコンテンツを受信することができる。
【００２５】
図１０において、ダイバー合成部１４−１でダイバーシティ合成を行うための受信信号を受信するアンテナ２０−１とアンテナ２０−３とは、隣り合わせとならないように接続されている。同様に、ダイバー合成部１４−２でダイバーシティ合成を行うための受信信号を受信するアンテナ２０−２とアンテナ２０−４とは、隣り合わせとならないように接続されている。言い換えると、４つのアンテナ２０−１〜２０−４のうち、内側の２つのアンテナ２０−２とアンテナ２０−３とが襷掛け接続されている。これにより、ダイバー合成部１４−１でダイバーシティ合成を行うアンテナ２０−１で受信する電波と、アンテナ２０−３で受信する電波との相関が低くなるように構成されている。
【００２６】
図１０の例では、上記の襷掛け接続は、デジタル放送受信放送を設置する作業者等によって行われる。例えば、図１０において、アンテナには、「Ａ」、「Ｂ」の２種類があり、アンテナをデジタル放送受信装置１０に接続するアンテナコードには「１」、「２」、「３」、「４」の４種類がある。
【００２７】
例えば、アンテナ２０−１には、アンテナの種類が「Ａ」であり、接続されているアンテナコードが「１」であることを示す「Ａ１」が表示（例えば印字）されている。また、アンテナ２０−１をデジタル放送受信装置１０に接続するアンテナコード２１−１には「１」を表示するタグ２２−１等が取り付けられている。作業者は、例えば、マニュアル等に記載されたアンテナの位置「Ａ１」に、「Ａ１」が表示されたアンテナ２０−１を取り付ける。また、作業者は、デジタル放送受信装置１０の「１」が表示された入力端子１１−１に、「１」を表示するタグ２２−１が取り付けられたアンテナコードを接続する。これにより、図１０に示すように、アンテナ２０−１が、デジタル放送受信装置１０に接続される。
【００２８】
このように、作業者は、アンテナ２０−１〜２０−４のアンテナの位置を示す表示と、アンテナコード２１−１〜２１−４に取り付けられた接続先を示すタグ２２−１〜２２−４を用いて、図１０に示すように各アンテナをデジタル放送受信装置１０に接続する。
【００２９】
この場合、作業者は、マニュアルを見ながらアンテナ２０−１〜２０−４の取り付け位置とアンテナコード２１−１〜２１−４の接続とを管理する必要があり、作業者への負担が大きくなる。また、作業者が誤ってアンテナを取り付けてしまった場合、アンテナコードの接続を間違えてしまった場合には、十分なダイバーシティ効果が得られないという問題がある。
【００３０】
図１１は、アンテナ間の相関とダイバーシティ効果との関係について説明するための図である。
【００３１】
図１１（ａ）は、２つのアンテナＡＮＴ１とＡＮＴ２との相関が高い（例えば、２つのアンテナ間の距離が近い）場合の移動距離とＣ／Ｎ値（Carrier to Nose ratio）との関係の一例を示している。Ｃ／Ｎ値は、地上デジタル放送の受信信号の品質に関する測定値であり、受信電力（搬送波）とノイズレベルとの比によって求められる。
【００３２】
２つのアンテナＡＮＴ１とＡＮＴ２との相関が高い場合、例えば、図１１（ａ）に示すように、移動距離ｄ１において、ＡＮＴ１のＣ／Ｎ値が悪化すると、ＡＮＴ２のＣ／Ｎ値も同様に悪化する。
【００３３】
図１１（ｂ）は、２つのアンテナＡＮＴ１とＡＮＴ２との相関が高い場合のダイバーシティ合成後の移動距離とＣ／Ｎ値との関係の一例を示している。図１１（ｂ）においても、移動距離ｄ１において、Ｃ／Ｎ値が悪化しており、ダイバーシティ効果は少ないことが示されている。
【００３４】
図１１（ｃ）は、２つのアンテナＡＮＴ１とＡＮＴ２との相関が低い（例えば、２つのアンテナ間の距離が離れている）場合の移動距離とＣ／Ｎ値との関係の一例を示している。２つのアンテナＡＮＴ１とＡＮＴ２との相関が低い場合、例えば、図１１（ｃ）に示すように移動距離ｄ１において、ＡＮＴ１のＣ／Ｎ値が悪化したとき、ＡＮＴ２のＣ／Ｎ値はＡＮＴ１ほど悪化していない。
【００３５】
図１１（ｄ）は、２つのアンテナＡＮＴ１とＡＮＴ２との相関が低い場合のダイバーシティ合成後の移動距離とＣ／Ｎ値との関係の一例を示している。図１１（ｄ）において、移動距離ｄ１におけるＣ／Ｎ値は、図１１（ｂ）と比較して改善していることが判る。
【００３６】
さらに、例えば、図１１（ｃ）の移動距離ｄ２において、ＡＮＴ１のＣ／Ｎ値は悪化しているが、ＡＮＴ２のＣ／Ｎ値は良好である。このような場合、例えば、図１１（ｄ）の移動距離ｄ２に示すように、ダイバーシティ合成後のＣ／Ｎ値は、ＡＮＴ１のＣ／Ｎ値の悪化の影響をほとんど受けていないことが判る。
【００３７】
このように、ダイバーシティ合成を行う２つのアンテナの相関を低くする（例えば、距離を離す、偏波面を変える等）ことにより、ダイバーシティ合成の効果を高めることができる。
【００３８】
図１２は、アンテナ間のＣ／Ｎ値に差がある状況について説明するための図である。図１２（ａ）は、アンテナ間のＣ／Ｎ値に差がない状況の一例を示している。図１２（ａ）の例では、デジタル放送受信装置１０を搭載する車両５０は、電波４１の送信元である電波塔４０に向かって進んでいる。このような場合、例えば、車両５０のフロントガラス３０に取り付けられたアンテナ２０−１〜２０−４間のＣ／Ｎ値にはほとんど差は発生しないと考えられる。
【００３９】
一方、図１２（ｂ）は、アンテナ間のＣ／Ｎ値に差がある状況の一例を示している。図１２（ｂ）の例では、デジタル放送受信装置１０を搭載する車両５０のフロントガラス３０に取り付けられたアンテナ２０−１〜２０−４の少なくとも一部は、ピラーや車体の影になってしまい、電波塔４０からの電波（直接波）４１を受信することはできない。また、アンテナ２０−１〜２０−４には、例えば、建物６０等に反射した電波（反射波）６１が、様々な方向から到来する。このような場合、例えば、車両５０のフロントガラス３０に取り付けられたアンテナ２０−１〜２０−４間のＣ／Ｎ値には差が発生すると考えられる。
【００４０】
このような状況では、ダイバーシティ合成を行う２つのアンテナ間の距離が近くアンテナ間の相関が高い場合、Ｃ／Ｎ値が同様に変化し、ダイバーシティの効果が低下する。
【００４１】
上記で述べたように、例えば、図１０に示すように、デジタル放送受信装置１０にアンテナ２０−１〜２０−４を接続することにより、２＋２ダイバーシティ受信を行った際のダイバーシティ効果を高めることができる。しかし、この方法では、図１０に示すように、デジタル放送受信装置１０にアンテナ２０−１〜２０−４を接続するためには、作業者の負担が大きくなる。
【００４２】
＜デジタル放送受信装置の構成＞
続いて、本実施形態に係るデジタル放送受信装置の構成について説明する。なお、ここでは、デジタル放送受信装置が、車載用の地上デジタル放送受信装置であるものとして以下の説明を行う。
【００４３】
（４ダイバーシティ受信時の構成）
図１は、一実施形態に係るデジタル放送受信装置の構成の例を示す図（１）である。この図は、４つのアンテナを用いて１つの放送を受信する４ダイバーシティ受信を行う場合のデジタル放送受信装置（受信装置）１００の例を示している。
【００４４】
図１において、デジタル放送受信装置１００は、アンテナＡＮＴ１〜ＡＮＴ４、チューナ部１１０−１〜１１０−４、ＯＦＤＭ復調部１２０−１〜１２０−４、切替部１３０、ダイバー合成部１４０−１、１４０−２、ベースバンド処理部１５０、制御部１６０、音声出力部１７０、表示部１８０、及び操作部１９０等を有する。
【００４５】
なお、以下の説明の中で、チューナ部１１０−１〜１１０−４のうち、任意のチューナ部を示す場合「チューナ部１１０」を用いる。また、ＯＦＤＭ復調部１２０−１〜１２０−４のうち、任意のＯＦＤＭ復調部を示す場合「ＯＦＤＭ復調部１２０」を用いる。同様に、ダイバー合成部１４０−１、１４０−２のうち、任意のダイバー合成部を示す場合「ダイバー合成部１４０」を用いる。また、アンテナＡＮＴ１〜ＡＮＴ４を、単に「ＡＮＴ１〜ＡＮＴ４」と呼ぶ。
【００４６】
ＡＮＴ１〜ＡＮＴ４は、受信対象となる地上デジタル放送等の電波を受信するためのアンテナである。本実施形態では、作業者は、例えば、図１０で前述したようにアンテナコードの接続先を管理することなく、アンテナを任意のチューナ部１１０に接続することができるものとする。また、このとき、チューナ部１１０−１に接続されたアンテナをＡＮＴ１、チューナ部１１０−２に接続されたアンテナをＡＮＴ２、チューナ部１１０−３に接続されたアンテナをＡＮＴ３、チューナ部１１０−４に接続されたアンテナをＡＮＴ４と呼ぶ。
【００４７】
チューナ部１１０は、図１０で前述したチューナ部１２−１〜１２−４に対応しており、指定された受信周波数の受信信号（ＲＦ１〜ＲＦ４）を、アンテナを介して受信する。例えば、チューナ部１１０−１は、指定された受信周波数の受信信号（ＲＦ１）を、ＡＮＴ１を介して受信する。
【００４８】
ＯＦＤＭ復調部１２０は、図１０で前述したＯＦＤＭ復調部１３−１〜１３−４に対応しており、チューナ部１１０から出力される受信信号（ＩＦ１〜ＩＦ４）に対してＯＦＤＭ復調処理を行う。例えば、ＯＦＤＭ復調部１２０−１は、チューナ部１１０−１から出力される受信信号（ＩＦ１）に対してＯＦＤＭ復調処理を行う。
【００４９】
切替部１３０は、制御部１６０からの制御に従って、ＯＦＤＭ復調部１２０−１〜１２０−４から出力された受信信号（Ｒｘ１〜Ｒｘ４）の出力先を切替える。例えば、切替部１３０は、４つの受信信号（Ｒｘ１〜Ｒｘ４）を用いて１つの放送を受信する４ダイバーシティ受信を行う場合、４つの受信信号（Ｒｘ１〜Ｒｘ４）をダイバー合成部１４０−１に出力する。
【００５０】
なお、図１に示す構成は一例であり、切替部１３０の機能はＯＦＤＭ復調部１２０に含まれているものであっても良いし、ダイバー合成部１４０に含まれているものであっても良い。或いは、ＯＦＤＭ復調部１２０、切替部１３０、及びダイバー合成部１４０は、一つの回路に含まれているもの等であっても良い。
【００５１】
ダイバー合成部１４０−１（第１の合成部）、ダイバー合成部１４０−２（第２の合成部）は、図１０で前述したダイバー合成部１４−１、１４−２に対応している。ダイバー合成部１４０は、ＯＦＤＭ復調部１２０から、切替部１３０を介して出力される受信信号（Ｒｘ１〜Ｒｘ４）の位相を調整した後に合成するダイバーシティ合成（最大比合成）を行う。
【００５２】
ベースバンド処理部１５０は、制御部１６０の制御に従って、ダイバー合成部１４０から出力されるダイバーシティ合成された受信信号（復調信号）に含まれる放送の音声及び映像のＭＰＥＧ信号をデコードし、音声データ及び映像データを生成する。
【００５３】
制御部１６０は、デジタル放送受信装置１００の全体の処理を制御する。制御部１６０は、例えば、ＣＰＵ（Central processing Unit）、（Random Access Memory）、フラッシュＲＯＭ（Read Only Memory）、及びＣＰＵで実行されるプログラム等によって実現される。なお、制御部１６０の機能の少なくとも一部は、ハードウェアによって実現されるものであっても良い。
【００５４】
制御部１６０は、例えば、受信制御部１６１、受信品質測定部１６２、アンテナ特定部１６３、対応関係管理部１６４、表示制御部１６５、及び記憶部１６６等を含む。
【００５５】
受信制御部１６１は、チューナ部１１０、ＯＦＤＭ復調部１２０、切替部１３０、ダイバー合成部１４０、及びベースバンド処理部１５０を制御して、受信処理を制御する。
【００５６】
例えば、受信制御部１６１は、チューナ部１１０−１〜１１０−４を制御して、受信する放送周波数の受信信号を受信させる。また、受信制御部１６１は、４ダイバーシティ受信を行う場合、切替部１３０を制御して、ＯＦＤＭ復調部１２０−１〜１２０−４から出力される受信信号Ｒｘ１〜Ｒｘ４を、ダイバー合成部１４０−１入力させる。
【００５７】
受信品質測定部（測定部）１６２は、ＡＮＴ１〜ＡＮＴ４を用いて受信する受信信号毎に、受信信号の品質に関する測定値を測定する。例えば、受信品質測定部１６２は、ＯＦＤＭ復調部１２０−１〜１２０−４から、受信信号Ｒｘ１〜Ｒｘ４のＣ／Ｎ値を取得する。或いは、受信品質測定部１６２は、チューナ部１１０−１〜１１０−４から、受信信号ＲＦ１〜ＲＦ４の受信レベルを取得するもの等であっても良い。
【００５８】
アンテナ特定部（特定部）１６３は、例えば、デジタル放送受信装置１０を車両に設置したとき等に、複数の受信信号Ｒｘ１〜Ｒｘ４の中から、各アンテナの位置に対応する受信信号を特定するアンテナ特定処理を実行する。
【００５９】
ここでは、例えば、図２に示すようにＡＮＴ１〜ＡＮＴ４が取り付けられているものとして、以下の説明を行う。
【００６０】
図２は、一実施形態に係るアンテナの配置の例を示す図である。図２において、例えば、フロントガラス３０等の左端のアンテナ位置「Ａ」（第１の位置）に配置されたアンテナをアンテナＡ（第１のアンテナ）と呼ぶ。また、フロントガラス３０等の左から３番目のアンテナ位置「Ｃ」（第２の位置）に配置されたアンテナをアンテナＣ（第２のアンテナ）と呼ぶ。
【００６１】
デジタル放送受信装置１００が２＋２ダイバーシティ受信を行うとき、ダイバー合成部１４０−１は、アンテナＡを用いて受信された受信信号とアンテナＣを用いて受信された受信信号とを用いてダイバーシティ合成を行う。
【００６２】
また、フロントガラス３０等の左から２番目のアンテナ位置「Ｂ」（第３の位置）に配置されたアンテナをアンテナＢ（第３のアンテナ）と呼ぶ。さらに、フロントガラス３０等の右端のアンテナ位置「Ｄ」（第４の位置）に配置されたアンテナをアンテナＤ（第４のアンテナ）と呼ぶ。
【００６３】
デジタル放送受信装置１００が２＋２ダイバーシティ受信を行うとき、ダイバー合成部１４０−２は、アンテナＢを用いて受信された受信信号とアンテナＤを用いて受信された受信信号とを用いてダイバーシティ合成を行う。
【００６４】
なお、車両のフロントガラス３０は、アンテナを設置する場所の一例であり、アンテナを設置する場所は、例えば、車両のリアガラスや、サイドガラス等であっても良い。
【００６５】
図２において、アンテナ位置「Ａ」とアンテナ位置「Ｃ」との間の距離は、アンテナ位置「Ａ」とアンテナ位置「Ｂ」との間の距離より長く、アンテナ位置「Ａ」とアンテナ位置「Ｄ」との間の距離より短くなるように設置されている。これにより、アンテナＡとアンテナＣとが隣接せず、アンテナＢとアンテナＤが隣接しないように配置されている。
【００６６】
なお、本実施形態では、作業者がアンテナコードの接続先を管理しないので、各アンテナ位置に取り付けられるアンテナＡＮＴ１〜ＡＮＴ４の位置は、取り付けを行うたびに異なる。ここでは、一例として、図２に示すように、アンテナ位置「Ａ」にＡＮＴ４、アンテナ位置「Ｂ」にＡＮＴ２、アンテナ位置「Ｃ」にＡＮＴ１、アンテナ位置「Ｄ」にＡＮＴ３が取り付けられているものとして、以下の説明を行う。
【００６７】
ここで図１に戻り、アンテナ特定部１６３の説明を続ける。
【００６８】
アンテナ特定部１６３は、複数のアンテナＡＮＴ１〜ＡＮＴ４で受信した受信信号Ｒｘ１〜Ｒｘ４の中から、各アンテナ位置「Ａ」〜「Ｄ」に設置されたアンテナによって受信された受信信号を特定するアンテナ特定処理を行う。
【００６９】
例えば、図２において、アンテナ位置「Ａ」にはＡＮＴ４が設置されているので、複数の受信信号Ｒｘ１〜Ｒｘ４のうち、アンテナ位置「Ａ」に設置されたアンテナＡによって受信される受信信号（第１の受信信号）は受信信号Ｒｘ４である。また、アンテナ位置「Ｃ」にはＡＮＴ１が設置されているので、複数の受信信号Ｒｘ１〜Ｒｘ４のうち、アンテナ位置「Ｃ」に設置されたアンテナＣによって受信される受信信号（第２の受信信号）は受信信号Ｒｘ１である。
【００７０】
さらに、アンテナ位置「Ｂ」にはＡＮＴ２が設置されているので、複数の受信信号Ｒｘ１〜Ｒｘ４のうち、アンテナ位置「Ｂ」に設置されたアンテナＢによって受信される受信信号（第３の受信信号）は受信信号Ｒｘ２である。また、アンテナ位置「Ｄ」にはＡＮＴ３が設置されているので、複数の受信信号Ｒｘ１〜Ｒｘ４のうち、アンテナ位置「Ｄ」に設置されたアンテナＤによって受信される受信信号（第４の受信信号）は受信信号Ｒｘ３である。
【００７１】
アンテナ特定部１６３は、このようなアンテナ位置「Ａ」〜「Ｄ」と、受信信号Ｒｘ１〜Ｒｘ４との対応関係を特定するアンテナ特定処理を行う。なお、具体的な処理内容については後述する。
【００７２】
対応関係管理部（管理部）１６４は、各受信信号Ｒｘ１〜Ｒｘ４と、２＋２ダイバーシティ受信を行う際に各受信信号をダイバーシティ合成するダイバー合成部１４０との対応関係を示す対応情報を、不揮発性の記憶部１６６に記憶して管理する。なお、対応情報、及び対応関係管理部１６４の詳細については後述する。
【００７３】
表示制御部１６５は、ベースバンド処理部１５０から出力される映像データを、表示部１８０に表示させる。
【００７４】
また、表示制御部１６５は、アンテナ特定部１６３が、複数の受信信号Ｒｘ１〜Ｒｘ４の中から、各アンテナの位置に対応する受信信号を特定するアンテナ特定処理を実行する際に、作業者に所定の操作を指示する表示画面を、表示部１８０に表示させる。なお、表示制御部１６５が表示させる表示画面の例については後述する。
【００７５】
記憶部１６６は、不揮発性の記憶部であり、例えば、フラッシュＲＯＭ等によって実現される。
【００７６】
音声出力部１７０は、ベースバンド処理部１５０から出力される音声データをアナログ信号に変換し、音声信号を出力する。なお、音声出力部１７０は、デジタル放送受信装置の外部に設けられていても良い。
【００７７】
表示部１８０は、表示制御部１６５の制御に従って表示画面を表示する。操作部１９０は、利用者、又は作業者による入力操作を受付ける。
【００７８】
（２＋２ダイバーシティ受信時の構成）
図３は、一実施形態に係るデジタル放送受信装置の構成の例を示す図（２）である。この図は、２つのアンテナを用いて１つの放送を受信し、２つのアンテナを用いて、例えば、電子番組表のサーチ等を行う２＋２ダイバーシティ受信を行う場合のデジタル放送受信装置１００の例を示している。
【００７９】
なお、図３に示すデジタル放送受信装置１００に含まれる各部の構成については、図１に示すデジタル放送受信装置１００の構成と同様である。
【００８０】
ただし、２＋２ダイバーシティ受信を行う場合、制御部１６０は、ダイバー合成部１４０−１に、図２に示すアンテナ位置「Ａ」に対応する受信信号Ｒｘ４と、アンテナ位置「Ｃ」に対応する受信信号Ｒｘ１が入力されるように、切替部１３０を制御する。また、制御部１６０は、ダイバー合成部１４０−２に、図２に示すアンテナ位置「Ｂ」に対応する受信信号Ｒｘ２と、アンテナ位置「Ｄ」に対応する受信信号Ｒｘ３が入力されるように、切替部１３０を制御する。
【００８１】
図４は、一実施形態に係る切替部の構成の一例を示す図である。図４（ａ）に示すように、切替部１３０は、受信信号Ｒｘ１を記憶する受信バッファ４０１、受信信号Ｒｘ２を記憶する受信バッファ４０２、受信信号Ｒｘ３を記憶する受信バッファ４０３、及び受信信号Ｒｘ４を記憶する受信バッファ４０４等を含む。
【００８２】
また、対応関係管理部１６４は、図４（ｂ）に示すように、アンテナ特定部１６３によって特定された各アンテナ位置に対応する受信信号と、ダイバー合成部１４０−１、１４０−２の対応関係を示す対応情報４１０を、記憶部１６６に記憶して管理している。
【００８３】
図４（ｂ）の例では、対応情報４１０には、「ダイバー合成部」、「入力ノード」、「アンテナ位置」、「受信信号（アンテナ）」、及び「受信バッファアドレス」等の情報が含まれる。
【００８４】
「ダイバー合成部」の情報は、ダイバー合成部１４０−１、又はダイバー合成部１４０−２を示す情報である。例えば、「ダイバー合成部」の情報が「１４０−１」であれば、ダイバー合成部１４０−１に関する情報であることを示している。
【００８５】
「入力ノード」の情報は、ダイバー合成部１４０の入力ノード（例えば、図３のＩＮ１〜ＩＮ４）を示す情報である。
【００８６】
「アンテナ位置」の情報は、例えば、図２のアンテナ位置「Ａ」〜「Ｄ」を示す情報である。
【００８７】
「ダイバー合成部」、「入力ノード」、及び「アンテナ位置」の情報は、記憶部１６６に予め記憶されており、図４（ｂ）の例では、ダイバー合成部１４０−１の入力ノード「ＩＮ１」に、アンテナ位置「Ａ」の受信信号を入力して、ダイバー合成部１４０−１の入力ノード「ＩＮ２」に、アンテナ位置「Ｃ」の受信信号を入力することが示されている。同様に、ダイバー合成部１４０−２の入力ノード「ＩＮ３」に、アンテナ位置「Ｂ」の受信信号を入力して、ダイバー合成部１４０−２の入力ノード「ＩＮ４」に、アンテナ位置「Ｄ」の受信信号を入力することが示されている。
【００８８】
「受信信号（アンテナ）」の情報は、アンテナ特定部１６３によって特定された各アンテナ位置「Ａ」、「Ｂ」、「Ｃ」、「Ｄ」に対応する受信信号が、対応関係管理部１６４によって記憶される。
【００８９】
なお、受信信号（例えばＲｘ４）とアンテナ（例えばＡＮＴ４）は１対１に対応しているので、「受信信号（アンテナ）」の情報は、受信信号Ｒｘ１〜４で管理するものであっても良いし、ＡＮＴ１〜ＡＮＴ４で管理するものであっても良い。ここでは、「受信信号（アンテナ）」の情報が、受信信号Ｒｘ１〜４で管理されているものとして以下の説明を行う。
【００９０】
「受信バッファアドレス」の情報は、「受信信号（アンテナ）」に対応する受信バッファ４０１〜４０４のアドレス（例えば開始アドレス）を示す情報である。
【００９１】
図４の例では、受信制御部１６１は、図４（ｂ）に示す対応情報４１０に基づいて、ダイバー合成部１４０−１に対して受信バッファアドレス「ＡＤＤＲＥＳＳ４」、「ＡＤＤＲＥＳＳ１」の受信バッファを用いてダイバーシティ合成を行うように指示する。また、受信制御部１６１は、対応情報４１０に基づいて、ダイバー合成部１４０−２に対して受信バッファアドレス「ＡＤＤＲＥＳＳ２」、「ＡＤＤＲＥＳＳ３」の受信バッファを用いてダイバーシティ合成を行うように指示する。
【００９２】
上記の構成により、受信制御部１６１は、２＋２ダーバーシティ受信の開始時に、例えば、図３に示すようにダイバー合成部１４０−１に受信信号Ｒｘ４、Ｒｘ１を入力し、ダイバー合成部１４０−２に受信信号Ｒｘ２、Ｒｘ３を入力することができるようになる。
【００９３】
図５は、一実施形態に係る切替部の構成の別の一例を示す図である。図５（ａ）の例では、切替部１３０はセレクタ５０１〜５０４を含む。
【００９４】
セレクタ５０１は、複数の受信信号Ｒｘ１〜Ｒｘ４が入力され、選択信号ＳＥＬ１によって指定された受信信号をダイバー合成部１４０−１の入力ノードＩＮ１に出力する。セレクタ５０２は、複数の受信信号Ｒｘ１〜Ｒｘ４が入力され、選択信号ＳＥＬ２によって指定された受信信号をダイバー合成部１４０−１の入力ノードＩＮ２に出力する。セレクタ５０３は、複数の受信信号Ｒｘ１〜Ｒｘ４が入力され、選択信号ＳＥＬ３によって指定された受信信号をダイバー合成部１４０−２の入力ノードＩＮ３に出力する。セレクタ５０４は、複数の受信信号Ｒｘ１〜Ｒｘ４が入力され、選択信号ＳＥＬ４によって指定された受信信号をダイバー合成部１４０−２の入力ノードＩＮ４に出力する。
【００９５】
また、対応関係管理部１６４は、図５（ｂ）に示すように、アンテナ特定部１６３によって特定された各アンテナ位置に対応する受信信号と、ダイバー合成部１４０−１、１４０−２との対応関係を示す対応情報５１０を、記憶部１６６に記憶して管理している。
【００９６】
図５（ｂ）の例では、対応情報４１０には、「ダイバー合成部」、「入力ノード」、「アンテナ位置」、「受信信号（アンテナ）」、及び「選択信号」等の情報が含まれる。このうち、「ダイバー合成部」、「入力ノード」、及び「アンテナ位置」の情報は、図４（ｂ）に示す各情報と同様である。
【００９７】
「選択信号」の情報は、「ダイバー合成部」の「入力ノード」に対応する選択信号が予め記憶されている。
【００９８】
図５の例では、受信制御部１６１は、図５（ｂ）に示す対応情報５１０に基づいて、選択信号ＳＥＬ１によりセレクタ５０１に受信信号Ｒｘ４を出力させ、選択信号ＳＥＬ２によりセレクタ５０２に受信信号Ｒｘ１を出力させる。同様に、受信制御部１６１は、対応情報５１０に基づいて、選択信号ＳＥＬ３によりセレクタ５０３に受信信号Ｒｘ２を出力させ、選択信号ＳＥＬ４によりセレクタ５０４に受信信号Ｒｘ３を出力させる。
【００９９】
上記の構成により、制御部１６０の受信制御部１６１は、例えば、図３に示すように、ダイバー合成部１４０−１に受信信号Ｒｘ４、Ｒｘ１を入力し、ダイバー合成部１４０−２に受信信号Ｒｘ２、Ｒｘ３を入力することができるようになる。
【０１００】
なお、図４、５に示す切替部１３０の構成はあくまで一例である。デジタル放送受信装置１００は、２＋２ダイバーシティ受信を行う際に、対応関係管理部１６４が記憶部１６６に記憶して管理する対応情報に従って、ダイバー合成部１４０に入力する受信信号Ｒｘ１〜Ｒｘ４を切替える機能を有していれば良い。
【０１０１】
＜処理の流れ＞
続いて、本実施形態に係るデジタル放送受信装置における受信制御方法の例について説明する。
【０１０２】
図６は、一実施形態に係るデジタル放送受信装置の処理の例を示すフローチャートである。デジタル放送受信装置１００は、図６に示す処理を実行することにより、複数の受信信号Ｒｘ１〜Ｒｘ４と、図３に示す各アンテナ位置「Ａ」〜「Ｄ」との対応付けを行うことができる。この処理は、例えば、デジタル放送受信装置１００を設置した後に、例えば、作業者（又は利用者）等によって実行される。
【０１０３】
ステップＳ６０１において、デジタル放送受信装置１００のアンテナ特定部１６３は、受信品質測定部１６２を用いて、各アンテナ（ＡＮＴ１〜ＡＮＴ４）に対応する受信信号（Ｒｘ１〜Ｒｘ４）のＣ／Ｎ値の初期値を測定する。なお、Ｃ／Ｎ値は、受信信号（Ｒｘ１〜Ｒｘ４）の品質に関する測定値の一例である。受信信号の品質に関する測定値は、例えば、受信信号（ＲＦ１〜ＲＦ４）の受信レベル等であっても良い。
【０１０４】
ステップＳ６０２において、アンテナ特定部１６３は、変数ｉ（ｉは１以上の整数）を１に初期化する。
【０１０５】
ステップＳ６０３において、表示制御部１６５は、アンテナ特定部１６３からの指示に従って、作業者にｉ番目のアンテナ位置に対する所定の操作を指示する。例えば、表示制御部１６５は、図７（ａ）に示すような表示画面６０１を、表示部１８０に表示させる。
【０１０６】
図７（ａ）に示す表示画面６０１には、例えば、左端のアンテナ（ｉ番目のアンテナの一例）に触れること（所定の操作の一例）を指示するメッセージ６０２と、左端のアンテナの位置を示す表示要素６０３とが表示されている。
【０１０７】
ここで、所定の操作とは、ｉ番目のアンテナに対応するＣ／Ｎ値を変化させる操作であり、例えば、手をアンテナに近接させること、電波を吸収する物体吸収体（物体）を近づけること、電波を出力する装置（物体）を近づけること等が含まれる。
【０１０８】
手をアンテナに近づけることにより、アンテナの電圧定在波比が変化することによる不整合損失や、電波が遮られることにより受信電力の低下等が期待できるので、例えば、図７（ｂ）に示すように、手を近づけたアンテナ（例えばＡＮＴ４）のＣ／Ｎ値を悪化させることができる。
【０１０９】
また、ノイズとなる電波を出力する装置をアンテナに近づけることにより、アンテナが受信するノイズレベルを上昇させることにより、Ｃ／Ｎ値を悪化させることができる。或いは、希望波となる電波を出力する装置をアンテナに近づけることにより、アンテナが受信する希望波レベルを上昇させることにより、Ｃ／Ｎ値を向上させることもできる。
【０１１０】
なお、ここでは、図２に示すアンテナの配置において、アンテナ位置「Ａ」に設置されたアンテナが「１番目のアンテナ」であり、アンテナ位置「Ｂ」に設置されたアンテナが「２番目のアンテナ」であるものとする。また、アンテナ位置「Ｃ」に設置されたアンテナが「３番目のアンテナ」であり、アンテナ位置「Ｄ」に設置されたアンテナが「４番目のアンテナ」であるものとする。
【０１１１】
ステップＳ６０４において、アンテナ特定部１６３は、受信品質測定部１６２を用いて、各アンテナ（ＡＮＴ１〜ＡＮＴ４）に対応する受信信号（Ｒｘ１〜Ｒｘ４）のＣ／Ｎ値を測定する。
【０１１２】
図７（ｂ）は、時間の経過と、受信品質測定部１６２により測定されるＣ／Ｎとの関係の一例を示している。例えば、図７（ｂ）の時間Ｔ１において、表示制御部１６５が、図７（ａ）に示すような表示画面を表示した後、受信品質測定部１６２は、例えば、時間Ｔ２から継続的に受信信号Ｒｘ１〜Ｒｘ４のＣ／Ｎ値を測定する。
【０１１３】
ステップＳ６０５において、アンテナ特定部１６３は、受信信号Ｒｘ１〜Ｒｘ４のＣ／Ｎ値の変化量に基づいて、複数の受信信号Ｒｘ１〜Ｒｘ４の中から、ｉ番目のアンテナ位置に対応する受信信号を特定する。
【０１１４】
例えば、図７（ａ）に示す表示画面６０１に従って、作業者が図２に示すアンテナ位置「Ａ」に設置されたＡＮＴ４に手を触れると、図７（ｂ）に示すように、ＡＮＴ４で受信する受信信号Ｒｘ４のＣ／Ｎ値が変化する。これにより、アンテナ特定部１６３は、ｉ番目のアンテナ位置に対応する受信信号がＲｘ４であることを特定することができる。
【０１１５】
ステップＳ６０６において、対応関係管理部１６４は、アンテナ特定部１６３によって特定された受信信号（例えばＲｘ４）を、ｉ番目のアンテナ位置（例えばアンテナ位置「Ａ」）に対応付けて、例えば、図４（ｂ）に示すような対応情報４１０に記憶する。
【０１１６】
ステップＳ６０７において、制御部１６０は、ｉがアンテナの数Ｎ（図３の例では４）未満であるかを判断する。
【０１１７】
ｉがＮ未満である場合、制御部１６０は、ｉに１を加算して、ステップＳ６０３〜Ｓ６０６の処理を再度実行する。一方、ｉがＮ未満でない場合、例えば、受信制御部１６１は、記憶部１６６に記憶された受信信号Ｒｘ１〜Ｒｘ４と、ダイバー合成部１４０−１、１４０−２との対応関係に従って、各ダイバー合成部１４０−１、１４０−２に受信信号Ｒｘ１〜Ｒｘ４を入力する。
【０１１８】
なお、上記の処理によって特定された対応関係を示す対応情報は、不揮発性の記憶部１６６に記憶されている。したがって、受信制御部１６１は、２＋２ダイバーシティ受信を開始するとき、図６に示す処理を再度実行しなくても、図２に示すように、各ダイバー合成部１４０−１、１４０−２に受信信号Ｒｘ１〜Ｒｘ４を入力することができるようになる。
【０１１９】
上記の処理により、作業者は、デジタル放送受信装置１００を車両に設置した後で、表示部１８０に表示される表示画面６０１に従って、各アンテナに手を触れるだけで、図２に示す２＋２ダイバーシティ受信の設定を容易に行うことができるようになる。
【０１２０】
したがって、本実施形態によれば、複数のアンテナＡＮＴ１〜ＡＮＴ４を用いてダイバーシティ受信を行うデジタル放送受信装置（受信装置）１００において、設置時の作業者の負担を軽減しつつ、十分なダイバーシティ効果が得られるようになる。
【０１２１】
また、本実施形態によれば、例えば、図１０で説明したアンテナ２０−１〜２０−４の位置を示す表示や、アンテナコード２１−１〜２１−４に取り付けられたタグ等が不要になるので、コストダウンの効果も期待できる。
【０１２２】
（アンテナの特定処理）
図８は、一実施形態に係るアンテナの特定処理の例を示すフローチャートである。この処理は、アンテナ特定部１６３によるアンテナ特定処理の好適な一例を示している。
【０１２３】
ステップＳ８０１において、デジタル放送受信装置１００の受信制御部１６１は、選局処理を行う。例えば、受信制御部１６１は、図１に示すような４ダイバーシティ受信の状態で、チューナ部１１０−１〜１１０−４に所定の放送周波数の受信を開始させる。
【０１２４】
ステップＳ８０２において、デジタル放送受信装置１００のアンテナ特定部１６３は、受信品質測定部１６２から、受信信号Ｒｘ１〜Ｒｘ４のＣ／Ｎ値であるＣ／Ｎ１〜Ｃ／Ｎ４を読込する。この処理は、例えば、図６のステップＳ６０１の処理に対応している。
【０１２５】
ステップＳ８０３において、アンテナ特定部１６３は、取り付け者（作業者、又は利用者）に所定の指示（例えば、「アンテナＡに触れてください」）を行う。この指示は、例えば、図７（ａ）に示すような表示画面６０１によるものであっても良いし、音声による指示等であっても良い。なお、アンテナＡは、例えば、図２のアンテナ位置「Ａ」に設置されたアンテナである。
【０１２６】
ステップＳ８０４において、アンテナ特定部１６３は、受信品質測定部１６２からＣ／Ｎ１〜Ｃ／Ｎ４を読込する。
【０１２７】
ステップＳ８０５において、アンテナ特定部１６３は、ステップＳ８０２で読込したＣ／Ｎ１〜Ｃ／Ｎ４の初期値と、ステップＳ８０４で読込したＣ／Ｎ１〜Ｃ／Ｎ４の値との差（変化量）を示すΔＣ／Ｎ１〜ΔＣ／Ｎ４を算出する。例えば、ΔＣ／Ｎ１は、Ｃ／Ｎ１の初期値と、ステップＳ８０４で読込したＣ／Ｎ１の値との差により求められる。
【０１２８】
ステップＳ８０６において、アンテナ特定部１６３は、ステップＳ８０５で算出したΔＣ／Ｎ１が、予め定められたしきい値（Ｘ ｄＢ）より大きいかを判断する。
【０１２９】
ΔＣ／Ｎ１が予め定められたしきい値より大きい場合、アンテナ特定部１６３は、処理をステップＳ８０７に移行させる。一方、ΔＣ／Ｎ１が予め定められたしきい値以下である場合、アンテナ特定部１６３は、処理をステップＳ８０９に移行させる。
【０１３０】
ステップＳ８０７に移行すると、アンテナ特定部１６３は、ΔＣ／Ｎ１が、他のΔＣ／Ｎ２〜ΔＣ／Ｎ４より大きいかを判断する。
【０１３１】
ΔＣ／Ｎ１が、他のΔＣ／Ｎ２〜ΔＣ／Ｎ４より大きい場合、アンテナ特定部１６３は、処理をステップＳ８０８に移行させる。一方、ΔＣ／Ｎ１が、他のΔＣ／Ｎ２〜ΔＣ／Ｎ４以下である場合、アンテナ特定部１６３は、処理をステップＳ８０４に戻して、ステップＳ８０４以降の処理を再実行する。
【０１３２】
ステップＳ８０８に移行すると、アンテナ特定部１６３は、アンテナＡに対応する受信信号が、Ｃ／Ｎ１に対応する受信信号Ｒｘ１であることを特定する。
【０１３３】
ステップＳ８０９に移行すると、アンテナ特定部１６３は、ステップＳ８０５で算出したΔＣ／Ｎ２が、予め定められたしきい値（Ｘ ｄＢ）より大きいかを判断する。
【０１３４】
ΔＣ／Ｎ２が予め定められたしきい値より大きい場合、アンテナ特定部１６３は、処理をステップＳ８１０に移行させる。一方、ΔＣ／Ｎ２が予め定められたしきい値以下である場合、アンテナ特定部１６３は、処理をステップＳ８１２に移行させる。
【０１３５】
ステップＳ８１０に移行すると、アンテナ特定部１６３は、ΔＣ／Ｎ２が、他のΔＣ／Ｎ１、ΔＣ／Ｎ３、ΔＣ／Ｎ４より大きいかを判断する。
【０１３６】
ΔＣ／Ｎ２が、他のΔＣ／Ｎ１、ΔＣ／Ｎ３、ΔＣ／Ｎ４より大きい場合、アンテナ特定部１６３は、処理をステップＳ８１１に移行させる。一方、ΔＣ／Ｎ２が、他のΔＣ／Ｎ１、ΔＣ／Ｎ３、ΔＣ／Ｎ４以下である場合、アンテナ特定部１６３は、処理をステップＳ８０４に戻して、ステップＳ８０４以降の処理を再実行する。
【０１３７】
ステップＳ８１１に移行すると、アンテナ特定部１６３は、アンテナＡに対応する受信信号が、Ｃ／Ｎ２に対応する受信信号Ｒｘ２であることを特定する。
【０１３８】
ステップＳ８１２に移行すると、アンテナ特定部１６３は、ステップＳ８０５で算出したΔＣ／Ｎ３が、予め定められたしきい値（Ｘ ｄＢ）より大きいかを判断する。
【０１３９】
ΔＣ／Ｎ３が予め定められたしきい値より大きい場合、アンテナ特定部１６３は、処理をステップＳ８１３に移行させる。一方、ΔＣ／Ｎ３が予め定められたしきい値以下である場合、アンテナ特定部１６３は、処理をステップＳ８１５に移行させる。
【０１４０】
ステップＳ８１３に移行すると、アンテナ特定部１６３は、ΔＣ／Ｎ３が、他のΔＣ／Ｎ１、ΔＣ／Ｎ２、ΔＣ／Ｎ４より大きいかを判断する。
【０１４１】
ΔＣ／Ｎ３が、他のΔＣ／Ｎ１、ΔＣ／Ｎ２、ΔＣ／Ｎ４より大きい場合、アンテナ特定部１６３は、処理をステップＳ８１４に移行させる。一方、ΔＣ／Ｎ３が、他のΔＣ／Ｎ１、ΔＣ／Ｎ２、ΔＣ／Ｎ４以下である場合、アンテナ特定部１６３は、処理をステップＳ８０４に戻して、ステップＳ８０４以降の処理を再実行する。
【０１４２】
ステップＳ８１４に移行すると、アンテナ特定部１６３は、アンテナＡに対応する受信信号が、Ｃ／Ｎ３に対応する受信信号Ｒｘ３であることを特定する。
【０１４３】
ステップＳ８１５に移行すると、アンテナ特定部１６３は、ステップＳ８０５で算出したΔＣ／Ｎ４が、予め定められたしきい値（Ｘ ｄＢ）より大きいかを判断する。
【０１４４】
ΔＣ／Ｎ４が予め定められたしきい値より大きい場合、アンテナ特定部１６３は、処理をステップＳ８１６に移行させる。一方、ΔＣ／Ｎ４が予め定められたしきい値以下である場合、アンテナ特定部１６３は、処理をステップＳ８０４に戻して、ステップＳ８０４以降の処理を再実行する。
【０１４５】
ステップＳ８１６に移行すると、アンテナ特定部１６３は、ΔＣ／Ｎ４が、他のΔＣ／Ｎ１、ΔＣ／Ｎ２、ΔＣ／Ｎ３より大きいかを判断する。
【０１４６】
ΔＣ／Ｎ４が、他のΔＣ／Ｎ１、ΔＣ／Ｎ２、ΔＣ／Ｎ３より大きい場合、アンテナ特定部１６３は、処理をステップＳ８１７に移行させる。一方、ΔＣ／Ｎ４が、他のΔＣ／Ｎ１、ΔＣ／Ｎ２、ΔＣ／Ｎ３以下である場合、アンテナ特定部１６３は、処理をステップＳ８０４に戻して、ステップＳ８０４以降の処理を再実行する。
【０１４７】
ステップＳ８１７に移行すると、アンテナ特定部１６３は、アンテナＡに対応する受信信号が、Ｃ／Ｎ４に対応する受信信号Ｒｘ４であることを特定する。
【０１４８】
上記の処理により、アンテナ特定部１６３は、ΔＣ／Ｎ１〜ΔＣ／Ｎ４のうち、予め定められたしきい値以上であり、他のΔＣ／Ｎより大きいΔＣ／Ｎに対応する受信信号を、アンテナＡに対応する受信信号として特定することができる。
【０１４９】
なお、図８に示す処理は、図３のアンテナ位置「Ａ」に対応するアンテナＡの特定処理を示しているが、他のアンテナに対しても同様の処理を実行する。また、アンテナの数が４であれば、図８に示すアンテナの特定処理により３つのアンテナを特定することにより、残りの１本のアンテナも特定されるので、残りの１本のアンテナに対するアンテナの特定処理を省略するものであっても良い。
【０１５０】
（切替部の設定処理）
図９は、一実施形態に係る切替部の設定処理の例を示すフローチャートである。この処理は、制御部１６０による切替部１３０の設定処理の一例を示している。
【０１５１】
ここで、アンテナＡは、図２のアンテナ位置「Ａ」に設置されたアンテナであり、アンテナＢは、図２のアンテナ位置「Ｂ」に設置されたアンテナである。また、アンテナＣは、図２のアンテナ位置「Ｃ」に設置されたアンテナであり、アンテナＤは、図２のアンテナ位置「Ｄ」に設置されたアンテナである。
【０１５２】
また、デジタル放送受信装置１００の制御部１６０は、２＋２ダイバー受信を開始する前に、アンテナＡを用いて受信した受信信号とアンテナＣを用いて受信した受信信号とをダイバー合成部１４０−１に入力するように、切替部１３０を制御するものとする。また、制御部１６０は、アンテナＢを用いて受信した受信信号とアンテナＤを用いて受信した受信信号とをダイバー合成部１４０−２に入力するように、切替部１３０を制御するものとする。
【０１５３】
ステップＳ９０１において、制御部１６０（例えば、受信制御部１６１、又は対応関係管理部１６４）は、アンテナＡに対応する受信信号、すなわち、アンテナＡを用いて受信した受信信号がＲｘ１であるかを判断する。例えば、制御部１６０は、対応関係管理部１６４が記憶部１６６に記憶して管理している対応情報、例えば、図４（ｂ）に示す対応情報４１０等に基づいて、アンテナＡを用いて受信した受信信号Ｒｘ１〜Ｒｘ４を判断することができる。
【０１５４】
アンテナＡに対応する受信信号が受信信号Ｒｘ１である場合、制御部１６０は、処理をステップＳ９０２に移行させる。一方、アンテナＡに対応する受信信号が受信信号Ｒｘ１でない場合、制御部１６０は、処理をステップＳ９０３に移行させる。
【０１５５】
ステップＳ９０２に移行すると、制御部１６０は、アンテナＡを用いて受信した受信信号Ｒｘ１を、ダイバー合成部１４０−１に入力するように、例えば、切替部１３０を制御する。
【０１５６】
ステップＳ９０３に移行すると、制御部１６０は、アンテナＡに対応する受信信号、すなわち、アンテナＡを用いて受信した受信信号がＲｘ２であるかを判断する。
【０１５７】
アンテナＡに対応する受信信号が受信信号Ｒｘ２である場合、制御部１６０は、処理をステップＳ９０４に移行させる。一方、アンテナＡに対応する受信信号が受信信号Ｒｘ２でない場合、制御部１６０は、処理をステップＳ９０５に移行させる。
【０１５８】
ステップＳ９０４に移行すると、制御部１６０は、アンテナＡを用いて受信した受信信号Ｒｘ２を、ダイバー合成部１４０−１に入力するように、例えば、切替部１３０を制御する。
【０１５９】
ステップＳ９０５に移行すると、制御部１６０は、アンテナＡに対応する受信信号、すなわち、アンテナＡを用いて受信した受信信号がＲｘ３であるかを判断する。
【０１６０】
アンテナＡに対応する受信信号が受信信号Ｒｘ３である場合、制御部１６０は、処理をステップＳ９０６に移行させる。一方、アンテナＡに対応する受信信号が受信信号Ｒｘ３でない場合、制御部１６０は、処理をステップＳ９０７に移行させる。
【０１６１】
ステップＳ９０６に移行すると、制御部１６０は、アンテナＡを用いて受信した受信信号Ｒｘ３を、ダイバー合成部１４０−１に入力するように、例えば、切替部１３０を制御する。
【０１６２】
ステップＳ９０７に移行すると、制御部１６０は、アンテナＡに対応する受信信号、すなわち、アンテナＡを用いて受信した受信信号がＲｘ４であるかを判断する。
【０１６３】
アンテナＡに対応する受信信号が受信信号Ｒｘ４である場合、制御部１６０は、処理をステップＳ９０８に移行させる。一方、アンテナＡに対応する受信信号が受信信号Ｒｘ４でない場合、制御部１６０は、処理をステップＳ９０９に移行させる。
【０１６４】
ステップＳ９０８に移行すると、制御部１６０は、アンテナＡを用いて受信した受信信号Ｒｘ４を、ダイバー合成部１４０−１に入力するように、例えば、切替部１３０を制御する。
【０１６５】
ステップＳ９０９に移行すると、制御部１６０は、アンテナ特定処理を再度実行した後、ステップＳ９０１以降の処理を再度実行する。
【０１６６】
上記の処理により、制御部１６０は、アンテナＡを用いて受信した受信信号を、ダイバー合成部１４０−１に入力することができるようになる。また、制御部１６０は、アンテナＣに対して同様の処理を実行することにより、アンテナＣを用いて受信した受信信号を、ダイバー合成部１４０−１に入力することができるようになる。
【０１６７】
さらに、制御部１６０は、アンテナＢ、Ｄに対して同様の処理を行うことにより、アンテナＢ、Ｄを用いて受信した受信信号を、ダイバー合成部１４０−２に入力することができるようになる。
【０１６８】
このように、本発明の実施形態によれば、複数のアンテナを用いてダイバーシティ受信を行うデジタル放送受信装置（受信装置）１００において、設置時の作業者の負担を軽減しつつ、十分なダイバーシティ効果が得られるようにすることができる。
【０１６９】
なお、デジタル放送受信装置１００は、本発明に係る受信装置の一例である。本発明に係る受信装置は、２＋２ダイバーシティ受信を行う他の受信装置や通信装置等にも適用することができる。
【符号の説明】
【０１７０】
ＡＮＴ１      アンテナ
ＡＮＴ２      アンテナ
ＡＮＴ３      アンテナ
ＡＮＴ４      アンテナ
１００      デジタル放送受信装置（受信装置）
１３０      切替部
１６２      受信品質測定部（測定部）
１４０−１    ダイバー合成部（第１の合成部）
１４０−２    ダイバー合成部（第２の合成部）
１６３      アンテナ特定部（特定部）
１６４      対応関係管理部（管理部）
１６５      表示制御部
１８０      表示部
６０１      表示画面
【図１】
2018067767.tif 000003
【図２】
2018067767.tif 000004
【図３】
2018067767.tif 000005
【図４】
2018067767.tif 000006
【図５】
2018067767.tif 000007
【図６】
2018067767.tif 000008
【図７】
2018067767.tif 000009
【図８】
2018067767.tif 000010
【図９】
2018067767.tif 000011
【図１０】
2018067767.tif 000012
【図１１】
2018067767.tif 000013
【図１２】
2018067767.tif 000014